(57)【特許請求の範囲】
【請求項１】
エレベータの利用客に向けて案内放送を送出するための放送時間帯を上記エレベータの運転過程に対応させて設定する放送時間帯設定手段と、上記案内放送と上記案内放送の放送継続時間と上記案内放送の開始時を指示する放送タイミングとこの放送タイミングを移動させて上記案内放送の放送開始時を調整する範囲を定めた放送タイミング調整範囲とからなる放送データが記録された放送データ記憶手段と、上記エレベータが上記放送時間帯に達すると、この放送時間帯に上記放送タイミングが含まれる上記放送データを上記放送データ記憶手段から読み取る放送データ読取手段と、この放送データ読取手段によって読み取られた最先の上記放送タイミングを上記放送時間帯の始期以後に設定し、最後の上記放送タイミングをその放送継続時間の終了時が上記放送時間帯の終期以前となるように設定すると共に、放送タイミングが隣接する上記放送データの上記放送継続時間のうち、先の上記放送継続時間と後の上記放送継続時間とが重複しないように上記放送タイミング調整範囲内で上記放送タイミングを調整する放送タイミング調整手段と、この放送タイミング調整手段で調整された上記放送タイミングで上記案内放送を放送する放送手段とを備えたエレベータの案内放送装置。
【請求項２】
請求項１に記載のエレベータの案内放送装置において、放送タイミング調整手段による放送タイミングの調整では、読取手段によって読み取られた案内放送を放送継続時間を重複させることなく放送時間帯内で放送できない場合は、上記案内放送の放送速度を増速させることにより上記放送継続時間を短縮して上記放送時間帯内で上記案内放送を終了させる放送継続時間短縮手段を備えたエレベータの案内放送装置。
【請求項３】
放送時間帯設定手段は、エレベータのかごの起動から停止までの運転過程で少なくとも一の放送時間帯を設定するものとした請求項１又は２に記載のエレベータの案内放送装置。
【請求項４】
放送時間帯設定手段は、エレベータの戸が開き始めてから次に上記戸が閉じるまでの運転過程で少なくとも一の放送時間帯を設定するものとした請求項１又は２に記載のエレベータの案内放送装置。
【発明の詳細な説明】
【０００１】
【発明の属する技術分野】
この発明は、エレベータの運転過程に対応させて利用客に案内放送を送出するエレベータの案内放送装置に係る。
【０００２】
【従来の技術】
最近のエレベータは、利用客への木目細かなサービスを提供するため、音声による種々の案内放送がなされている。この案内放送は、記号化されてメモリに記録されており、エレベータの運転過程に対応させて上記メモリから該当する上記案内放送の記号を読み取り、この記号を音声合成することにより行われている。
即ち、エレベータの運転過程は、エレベータ制御装置の作動信号から検知され、上記運転過程が案内放送をするための放送タイミングになるごとに該当する案内放送が送出されるようになっている。
【０００３】
ここで、各案内放送は、先行する案内放送が終了するのを待って放送されるため、先行する案内放送の放送中に後続の案内放送の放送タイミングになっても、その後続の案内放送は受け付けられない。
ところで、エレベータの運転過程、即ち、昇降時間及び戸開開始から戸閉終了までの時間は、短小であると共に一定していない。このような方式の案内放送は、放送時間が短くて種類も限られたものである場合は十分であるが、最近のように、案内放送の種類も多様化しかつ長大化した状態では、意図した案内放送ができず、利用客への木目の細かいサービスを行うことができないことがあった。
そこで、特開昭５８−９５０８３号公報には、放送時間の長さに応じて発声速度を変化させることにより、放送時間内で終了させるようにしたものが開示されている。
【０００４】
【発明が解決しようとする課題】
従来のエレベータの案内放送装置は、上記のとおり構成されているので、短小なエレベータの運転過程では十分な放送時間が得られず、意図した案内放送ができない、という問題があった。
また、案内放送の発声速度を増速して案内放送をする方式では早口となり、不自然に聞こえる、という問題もあった。
【０００５】
この発明は、上記問題点を解決するもので、可能な限り案内放送の放送速度を変化させることなく、意図した案内放送ができるエレベータの案内放送装置を提供する。
【０００６】
【課題を解決するための手段】
請求項１に係るエレベータの案内放送装置は、エレベータの利用客に向けて案内放送を送出するための放送時間帯をエレベータの運転過程に対応させて設定し、案内放送の開始時を指示する放送タイミングを放送タイミング調整範囲内で調整することにより、上記放送時間帯に含まれる案内放送を放送時間帯内で終了させると共に、隣接する案内放送が重複しないようにし、この調整された放送タイミングで上記案内放送を行うようにしたものである。
【０００７】
請求項２に係るエレベータの案内放送装置は、請求項１に記載のエレベータの案内放送装置において、放送タイミングの調整では、案内放送を重複させることなく放送時間帯内で放送できない場合は、上記案内放送の放送速度を増速させることにより放送時間帯内で案内放送を終了させるようにしたものである。
【０００８】
請求項３に係るエレベータの案内放送装置は、請求項１又は２に記載のエレベータの案内放送装置において、エレベータのかごの起動から停止までの運転過程で少なくとも一の放送時間帯を設定したものである。
【０００９】
請求項４に係るエレベータの案内放送装置は、請求項１又は２に記載のエレベータの案内放送装置において、エレベータの戸が開き始めてから次に上記戸が閉じるまでの運転過程で少なくとも一の放送時間帯を設定したものである。
【００１０】
【発明の実施の形態】
実施の形態１．
図１から図９は、この発明の実施の形態１を示す。
図１は全体構成を示すブロック図で、１はエレベータの昇降運転及び戸の開閉を制御するエレベータ制御装置、２はエレベータ制御装置１から運転信号を受けて各運転過程を検知し、この運転過程に対応させて放送時間帯Ｐを設定する放送時間帯設定手段、３はエレベータの利用客に向けて送出される案内放送Ａｎとこの案内放送Ａｎの放送継続時間Ｌｔと案内放送Ａｎの開始時を指示する放送タイミングＴｍとこの放送タイミングＴｍを移動させて案内放送Ａｎの放送開始時を調整する範囲を定めた放送タイミング調整範囲Δｔとからなる放送データＤ（ｎ）が記録された放送データ記憶手段である。
【００１１】
４はエレベータの運転過程が放送時間帯Ｐに達すると、この放送時間帯Ｐに放送タイミングＴｍが含まれる放送データＤ（ｎ）を放送データ記憶手段３から読み取る放送データ読取手段、５はこの放送データ読取手段４によって読み取られた最先の放送タイミングＴｍを放送時間帯Ｐの始期以後に設定し、最後の放送タイミングＴｍをその放送継続時間Ｌｔの終了時が放送時間帯Ｐの終期以前となるように設定すると共に、放送タイミングＴｍが隣接する放送データＤ（ｎ）の放送継続時間Ｌｔのうち、先の放送継続時間Ｌｔと後の放送継続時間Ｌｔとが重複しないように放送タイミング調整範囲Δｔ内で放送タイミングＴｍを調整する放送タイミング調整手段、６はこの放送タイミング調整手段５で調整された放送タイミングＴｍで案内放送Ａｎを放送する放送手段である。
【００１２】
図２はエレベータの案内放送装置のシステム構成を示すブロック図で、図中、図１と同符号は同一部分を示す。１２はエレベータのかご、１３はかご１２への出入口を開閉する戸、１４ｓはかご１２が昇降起動する始発階、１４ｏはかご１２が次に停止する目的階、Ｆｎは始発階１４ｓから目的階１４ｏまでの昇降距離で、この実施の形態１では階床数とし、この階床数に階高を乗じて実際の昇降距離が演算されるものとする。
【００１３】
１５はＣＰＵ、１６は放送データ読取プログラム、放送タイミング調整プログラム及び放送指令プログラム等が格納されたＲＯＭである。
１７は、かご１３が起動すると昇降距離Ｆｎに対応させてエレベータの速度パターンＳＰが設定され、この速度パターンＳＰに基づいて案内放送Ａｎを送出する放送時間帯Ｐが書き込まれる放送時間帯メモリで、詳細を図３に示す。
【００１４】
１８は案内放送Ａｎに関連する放送データＤ（ｎ）が記録された放送データテーブルで、放送データＤ（ｎ）は、詳細を図４に示し、放送時間帯Ｐと、放送タイミングＴｍと、放送タイミング調整範囲Δｔと、放送継続時間Ｌｔと、音声を変換して記号列化された案内放送Ａｎとからなる。１９は一時的なデータが記録されるＲＡＭである。
【００１５】
２０はエレベータ制御装置１から運転信号が入力される入力回路で、上記運転信号としては、かご１２の運転方向信号、加速時放送時間帯Ｐａの始期Ｐａｓとなるかご１２の起動信号、目的階信号、エレベータの速度パターンＳＰを設定するための昇降距離信号、戸閉時放送時間帯の終期Ｐｃｅの変動幅Ｐｃｗを特定するための乗降客数検出信号が含まれる。
２１は案内放送Ａｎを出力する出力回路、２２は記号列化された案内放送Ａｎから音声を合成してスピーカ２３からかご１２内へ向けて放送する音声合成装置である。
【００１６】
図３は各放送時間帯Ｐの始期及び終期が記録された放送時間帯メモリ１７の詳細を示し、同図（ａ）は、昇降距離Ｆｎが変動した場合の上記始期及び終期の時刻を、また、同図（ｂ）はかご１２の速度パタ―ンＳＰ及び戸１３の開閉速度パターンと各放送時間帯の始期及び終期の関係を示す。
即ち、加速時放送時間帯Ｐａは、かご１２の起動時τ０を始期Ｐａｓとし減速開始時を終期Ｐａｅとする。減速時放送時間帯Ｐｒは、かご１２の減速開始時を始期Ｐｒｓとし目的階１４ｏの手前の戸開開始時を終期Ｐｒｅとする。
【００１７】
戸開時放送時間帯Ｐｏは、戸開開始時を始期Ｐｏｓとし戸開終了時を終期Ｐｏｅとする。戸閉時放送時間帯Ｐｃは、戸開終了時を始期Ｐｃｓとし戸閉終了時を終期Ｐｃｅとする。なお、この戸閉時放送時間帯Ｐｃは、乗降客数によって戸閉開始時が変動し、この変動によって終期Ｐｃｅが変動する。その変動値は変動幅Ｐｃｗ内でエレベータ制御装置１からの乗客検出信号によって算出される。
【００１８】
昇降距離Ｆｎが１の場合は、短距離走行であり、図８に詳細を示したとおり、かご１２が時刻τ０で起動したとすると、始期Ｐａｓはτ０となり、以下、速度パターンＳＰ１に基づいて予想されて、終期Ｐａｅはτ１１となる。始期Ｐｒｓはτ１１、終期Ｐｒｅはτ１２となる。始期Ｐｏｓはτ１２、終期Ｐｏｅはτ１４となる。始期Ｐｃｓはτ１４、終期Ｐｃｅはτ１６となる。
【００１９】
昇降距離Ｆｎが２の場合は、中距離走行であり、図７に詳細を示したとおり、かご１２が時刻τ０で起動したとすると、始期Ｐａｓはτ０となり、以下、速度パターンＳＰ２に基づいて予想されて、終期Ｐａｅはτ２１となる。始期Ｐｒｓはτ２１、終期Ｐｒｅはτ２２となる。始期Ｐｏｓはτ２２、終期Ｐｏｅはτ２４となる。始期Ｐｃｓはτ２４、終期Ｐｃｅはτ２６となる。
この場合も、終期Ｐｃｅの時刻τ２６は乗降客数検出信号によって算出された値で修正された時刻が用いられる。
【００２０】
昇降距離Ｆｎが３以上の場合は、長距離走行であり、図６に詳細を示したとおり、かご１２が時刻τ０で起動したとすると、始期Ｐａｓはτ０となり、以下、速度パターンＳＰ３に基づいて予想されて、終期Ｐａｅはτ３１となる。始期Ｐｒｓはτ３１、終期Ｐｒｅはτ３２となる。始期Ｐｏｓはτ３２、終期Ｐｏｅはτ３４となる。始期Ｐｃｓはτ３４、終期Ｐｃｅはτ３６となる。
この場合も同様に、終期Ｐｃｅの時刻τ３６は乗降客数検出信号によって算出された値で修正された時刻が用いられる。
【００２１】
図４は、利用客に放送すべき案内放送Ａｎが記録された放送データメモリ１８の詳細を示し、音声を変換して記号列化された案内放送Ａｎと、この案内放送Ａｎの継続時間Ｌｔと、上記案内放送Ａｎを送出するための放送時間帯Ｐと、この放送時間帯Ｐの始期を起点とした上記案内放送Ａｎの開始時を示す放送タイミングＴｍと、この放送タイミングＴｍを移動させて上記案内放送Ａｎの放送開始時を調整する範囲を定めた放送タイミング調整範囲Δｔとからなる放送データが、この放送データを特定する番号Ｄ（ｎ）と共に記録されている。
【００２２】
即ち、放送データＤ１は、案内放送Ａ１に係り、この案内放送Ａ１は放送継続時間Ｌｔ１で、戸開時放送時間帯Ｐｏにおいて放送タイミングＴ２１で放送され、放送タイミング調整範囲−δ２１〜＋δ２１で前後に調整可能である。以下同様である。
ここで、案内放送Ａ２と案内放送Ａ３は、いずれも戸閉時放送時間帯Ｐｃに放送タイミングＴ４１で放送されるものであり、エレベータ制御装置１からの戸開閉信号に対応して択一される。
【００２３】
また、案内放送Ａ４も戸閉時放送時間帯Ｐｃに放送されるものであるが、その放送タイミングＴ５１は放送タイミングＴ４１の案内放送Ａ２又は案内放送Ａ３が放送された後に放送されるものであることを意味する。
更に、案内放送Ａ５と案内放送Ａ６も同様に加速時放送時間帯Ｐａに放送されるものであるが、案内放送Ａ５が放送タイミングＴ０１で放送された後に案内放送Ａ６が放送タイミングＴ０２で放送される。
【００２４】
更にまた、案内放送Ａ１０１から案内放送Ａ１０（ｆ）及び案内放送Ａ２０１から案内放送Ａ２０（ｆ）は減速時放送時間帯Ｐｒに放送されるものであるが、エレベータ制御装置１からの目的階信号に対応したものが案内放送Ａ１０１から案内放送Ａ１０（ｆ）の中から択一されて放送タイミングＴ１１で放送され、また、案内放送Ａ２０１から案内放送Ａ２０（ｆ）の中から上記目的階信号に対応したものが択一されて放送タイミングＴ１２で放送される。
【００２５】
図５は放送タイミングＴｍの調整方法を示す説明用図で、加速時放送時間帯Ｐａで案内放送Ａ５及びＡ６を放送する場合を示す。
１．図５（ａ）の場合
図５（ａ）は昇降距離Ｆｎが３以上の長距離走行を示し、この長距離走行に見合った速度パターンＳＰ３（図６に示す）が設定される。かご１２が時刻τ０で起動したとすると始期Ｐａｓは時刻τ０となり、速度パターンＳＰ３に基づいて終期Ｐａｅは時刻τ３１と予測されて加速時放送時間帯Ｐａが設定される。始期Ｐａｓから放送タイミングＴ０１経過した時点で案内放送Ａ５が開始され、継続時間Ｌｔ５で終了する。
更に、始期Ｐａｓから放送タイミングＴ０２経過した時点で案内放送Ａ６が開始され、継続時間Ｌｔ６で終了する。従って、案内放送Ａ６は、終期Ｐａｅ前に終了するものと予測され、かつ、案内放送Ａ５と案内放送Ａ６の重複はないので、放送タイミングＴ０１及びＴ０２の調整は行われない。
【００２６】
２．図５（ｂ）の場合
図５（ｂ）は昇降距離Ｆｎが２の中距離走行を示し、この中距離走行に見合った速度パターンＳＰ２（図７に示す）が設定される。かご１２が時刻τ０で起動したとすると始期Ｐａｓは時刻τ０となり、速度パターンＳＰ２に基づいて終期Ｐａｅは時刻τ２１と予測されて加速時放送時間帯Ｐａが設定される。
【００２７】
ところで、速度パターンＳＰ２による加速時放送時間帯Ｐａは、速度パターンＳＰ３による場合よりも短時間であるから、無調整の状態では案内放送Ａ６は加速時放送時間帯Ｐａ内で終了しないことになる。
そこで、案内放送Ａ６が加速時放送時間帯Ｐａ内で終了するように、案内放送Ａ６の放送タイミングＴ０２をδ０２′だけ進めてＴ０２′＝Ｔ０２−δ０２′に設定する。
放送タイミングＴ０２の前進により、放送タイミングＴ０１をδ０１′だけ進めてＴ０１′＝Ｔ０１−δ０１′に設定し、案内放送Ａ５と案内放送Ａ６の重複を避けるように調整する。
【００２８】
３．図５（ｃ）の場合
図５（ｃ）は昇降距離Ｆｎが１の短距離走行を示し、この短距離走行に見合った速度パターンＳＰ１（図８に示す）が設定される。かご１２が時刻τ０で起動したとすると始期Ｐａｓは時刻τ０となり、速度パターンＳＰ１に基づいて終期Ｐａｅは時刻τ１１と予測されて加速時放送時間帯Ｐａが設定される。
【００２９】
ところで、速度パターンＳＰ１による加速時放送時間帯Ｐａは、速度パターンＳＰ２の場合よりも更に短時間であるから、放送タイミングＴ０１及びＴ０２を、それぞれ調整範囲の限界値まで進め、それぞれＴ０１″＝Ｔ０１−δ０１及びＴ０２″＝Ｔ０２−δ０２に調整したのみでは案内放送Ａ６は加速時放送時間帯Ｐａ内で終了しない。
そこで、放送タイミングＴ０１及びＴ０２の調整と併せて、案内放送Ａ５及びＡ６の放送速度を増速させて放送継続時間Ｌｔ５をＬｔ５′に、かつ、放送継続時間Ｌｔ６をＬｔ６′に短縮して加速時放送時間帯Ｐａ内で案内放送Ａ５及びＡ６が終了するように調整をする。
【００３０】
図６は、昇降距離Ｆｎが長距離走行の場合のエレベータの運転過程を時系列で示した説明用図である。
始発階１４ｓを１階とし、目的階１４ｏを４階とする昇降距離Ｆｎが３の長距離走行とし、この昇降距離Ｆｎに対して速度パターンＳＰ３が設定される。時刻τ０で始発階１４ｓからかご１２が現実に起動すると、速度パターンＳＰ３に基づいてかご１２は加速し、時刻τ３１で減速を開始するものと予測され、時刻τ３３で目的階１４ｏに停止するものと予測される。
【００３１】
戸１３は目的階１４ｏにかご１２が停止するのに先立って時刻τ３２で開き始め、時刻τ３４で戸開を終了するものと予測される。利用客の乗降が終了した後、戸１３は時刻τ３５で閉じ始めるものと予測され、更に時刻τ３６で戸閉を終了するものと予測される。
【００３２】
上記運転過程に対して、時刻τ０から時刻τ３１までが加速時放送時間帯Ｐａであり、時刻τ３１から時刻τ３２までが減速時放送時間帯Ｐｒであり、時刻τ３２から時刻τ３４が戸開時放送時間帯Ｐｏであり、時刻τ３４から時刻τ３６までが戸閉時放送時間帯Ｐｃである。
各放送時間帯Ｐは十分長く、図５（ａ）で述べたとおり、放送データメモリ１８に記録された放送タイミングＴｍを調整することなく、該当する案内放送Ａｎを送出できる。
【００３３】
従って、エレベータの運転過程が加速時放送時間帯Ｐａになると、この加速時放送時間帯Ｐａに放送タイミングＴｍが含まれる放送データＤ５とＤ６が放送データメモリ１８から読み取られ、放送タイミングＴ０１で案内放送Ａ５が、また、Ｔ０２で案内放送Ａ６がそれぞれ送出される。
【００３４】
エレベータの運転過程が減速時放送時間帯Ｐｒになると、この減速時放送時間帯Ｐｒに放送タイミングＴｍが含まれる放送データＤ１０１〜Ｄ１０（ｆ）及びＤ２０１〜Ｄ２０（ｆ）のうち、エレベータ制御装置１からの目的階１４ｏを４階とする旨の目的階信号に基き、放送データＤ１０４とＤ２０４が放送データメモリ１８から読み取られ、放送タイミングＴ１１で案内放送Ａ１０４が、また、放送タイミングＴ１２で案内放送Ａ２０４がそれぞれ送出される。
【００３５】
エレベータの運転過程が戸開時放送時間帯Ｐｏになると、この戸開時放送時間帯Ｐｏに放送タイミングＴｍが含まれる放送データＤ１が放送データメモリ１８から読み取られ、放送タイミングＴ２１で案内放送Ａ１が送出される。
なお、戸開時放送時間帯Ｐｏは一定しているので、放送タイミングＴ２１は通常調整されることはない。
【００３６】
エレベータの運転過程が戸閉時放送時間帯Ｐｃになると、この戸閉時放送時間帯Ｐｃに放送タイミングＴｍが含まれる放送データＤ２及びＤ３のうち、エレベータ制御装置１からの運転方向信号に基づき、放送データＤ２が放送データメモリ１８から読み取られる。更に放送データＤ４が読み取られ、放送タイミングＴ４１で案内放送Ａ２が、また、放送タイミングＴ５１で案内放送Ａ４がそれぞれ送出される。
【００３７】
なお、乗降客数検出信号は、乗場での待ち客数を検出したり、かご１２からの現実の乗降客数を計数することにより得られるものである。この乗降客数検出信号により戸閉開始時刻を想定することにより戸閉時放送時間帯Ｐｃの終期Ｐｃｅが再設定される。従って、図３で述べたとおり、戸閉時放送時間帯Ｐｃは乗降客数によって変動し、多い場合は長く、少ない場合は短くなるように、変動幅Ｐｃｗの範囲内で調整される。
図６の例では乗降客は通常の人数であり、放送タイミングＴ４１及び放送タイミングＴ５１は放送データメモリ１８に記録されたままの値が用いられ、調整されることはない。
【００３８】
図７は、昇降距離Ｆｎが中距離走行の場合のエレベータの運転過程を時系列で示した説明用図である。
始発階１４ｓを１階とし、目的階１４ｏを３階とする。従って、昇降距離Ｆｎが２の中距離走行とし、この昇降距離Ｆｎに対して速度パターンＳＰ２が設定される。この速度パターンＳＰ２は速度パターンＳＰ３よりも短時間で終了する。
即ち、時刻τ０で始発階１４ｓからかご１２が現実に起動すると、速度パターンＳＰ２に基いてかご１２は加速し、時刻τ２１で減速を開始するものと予測され、時刻τ２３で目的階１４ｏに到着するものと予測される。
【００３９】
戸１３はかご１２が目的階１４ｏに到着するのに先立って時刻τ２２で開き始め、時刻τ２４で戸開を終了するものと予測される。利用客の乗降が終了した後、戸１３は時刻τ２５で閉じ始めるものと予測され、更に時刻τ２６で戸閉を終了するものと予測される。
【００４０】
上記運転過程に対して、時刻τ０から時刻τ２１までが加速時放送時間帯Ｐａであり、時刻τ２１から時刻τ２２までが減速時放送時間帯Ｐｒであり、時刻τ２２から時刻τ２４が戸開時放送時間帯Ｐｏであり、時刻τ２４から時刻τ２６までが戸閉時放送時間帯Ｐｃである。
各放送時間帯Ｐは案内放送Ａｎを送出するのに十分な時間ではなく、図５（ｂ）で述べたとおり、放送データメモリ１８に記録された放送タイミングＴｍを調整する必要があるものとする。
【００４１】
即ち、エレベータの運転過程が加速時放送時間帯Ｐａになると、放送データＤ５とＤ６が放送データメモリ１８から読み取られる。しかし、案内放送Ａ６は放送タイミングＴ０２では加速時放送時間帯Ｐａ内で終了しない。
そこで、図５（ｂ）に示したとおり、まず、案内放送Ａ６が加速時放送時間帯Ｐａ内で終了するように、案内放送Ａ６の放送タイミングＴ０２をδ０２′だけ進めてＴ０２′＝Ｔ０２−δ０２′に設定する。更に、放送タイミングＴ０２の前進により、放送タイミングＴ０１をδ０１′だけ進めてＴ０１′＝Ｔ０１−δ０１′に設定し、案内放送Ａ５と案内放送Ａ６の重複を避けるように調整する。
調整後の放送タイミングＴ０１′で案内放送Ａ５を、また、放送タイミングＴ０２′で案内放送Ａ６を、それぞれ送出する。
【００４２】
エレベータの運転過程が減速時放送時間帯Ｐｒになると、目的階１４ｏが３階であるから、エレベータ制御装置１からの目的階信号に基づき、放送データＤ１０３とＤ２０３が放送データメモリ１８から読み取られる。
ところで、案内放送Ａ２０３は放送タイミングＴ１２では減速時放送時間帯Ｐｒ内では終了しない。
そこで、上記加速時放送時間帯Ｐａにおける調整と同様に、減速時放送時間帯Ｐｒ内で終了するように、放送タイミングＴｍを早める。即ち、放送タイミングＴ１２をＴ１２′＝Ｔ１２−δ１２′に調整し、放送タイミングＴ１１をＴ１１′＝Ｔ１１−δ１１′に調整する。
調整後の放送タイミングＴ１１′で案内放送Ａ１０３を、また、放送タイミングＴ１２′で案内放送Ａ２０３を、それぞれ送出する。
【００４３】
戸開時放送時間帯Ｐｏは、上記図６の場合と同様であり、説明を省略する。
【００４４】
エレベータの運転過程が戸閉時放送時間帯Ｐｃになると、図６の場合と同様に、放送データＤ２とＤ４が放送データメモリ１８から読み取られる。但し、乗降客数検出信号は客数が少ない旨の内容であり、戸閉が促進されて時刻τ２５で戸１３が閉じ始めるものとする。このため、案内放送Ａ４は放送タイミングＴ５１では戸閉開始前に放送を開始できないことが予想される。
そこで、戸閉促進に呼応して放送タイミングＴｍを早める。即ち、放送タイミングＴ５１をＴ５１′＝Ｔ５１−δ５１′に調整する。この調整によって案内放送Ａ２と案内放送Ａ４が重複する。このため、放送タイミングＴ４１をＴ４１′＝Ｔ４１−δ４１′に調整して重複を回避する。
調整後の放送タイミングＴ４１′で案内放送Ａ２を、また、放送タイミングＴ５１′で案内放送Ａ４を、それぞれ送出する。
【００４５】
図８は、昇降距離Ｆｎが短距離走行の場合のエレベータの運転過程を時系列で示した説明用図である。
始発階１４ｓを１階とし、目的階１４ｏを２階とする。従って、昇降距離Ｆｎが１の短距離走行とし、この昇降距離Ｆｎに対して速度パターンＳＰ１が設定される。この速度パターンＳＰ１は速度パターンＳＰ２よりも更に短時間で終了する。
即ち、時刻τ０で始発階１４ｓからかご１２が現実に起動すると、速度パターンＳＰ１に基づいてかご１２は加速し、時刻τ１１で減速を開始するものと予測され、時刻τ１３で目的階１４ｏに到着するものと予測される。
【００４６】
戸１３はかご１２が目的階１４ｏに到着するのに先立って時刻τ１２で開き始め、時刻τ１４で戸開を終了するものと予測される。利用客の乗降が終了した後、戸１３は時刻τ１５で閉じ始めるものと予測され、更に時刻τ１６で戸閉を終了するものと予測される。
【００４７】
上記運転過程に対して、時刻τ０から時刻τ１１までが加速時放送時間帯Ｐａであり、時刻τ１１から時刻τ１２までが減速時放送時間帯Ｐｒであり、時刻τ１２から時刻τ１４が戸開時放送時間帯Ｐｏであり、時刻τ１４から時刻τ１６までが戸閉時放送時間帯Ｐｃである。
各放送時間帯Ｐは案内放送Ａｎを送出するのに十分な時間ではなく、図５（ｃ）で述べたとおり、放送データメモリ１８に記録された放送タイミングＴｍを調整する必要があるものとする。
【００４８】
即ち、エレベータの運転過程が加速時放送時間帯Ｐａになると、放送データＤ５とＤ６が放送データメモリ１８から読み取られる。しかし、案内放送Ａ６は放送タイミングＴ０２を放送タイミング調整範囲Δｔの限界値δ０２まで促進しても加速時放送時間帯Ｐａ内で終了しない。
そこで、図５（ｃ）に示したとおり、まず、案内放送Ａ６が加速時放送時間帯Ｐａ内で終了するように、案内放送Ａ６の放送タイミングＴ０２を限界値δ０２だけ進めてＴ０２″＝Ｔ０２−δ０２に設定すると共に、放送継続時間Ｌｔ６をＬｔ６′に短縮して加速時放送時間帯Ｐａ内で終了させる。更に、放送タイミングＴ０２の前進により、放送タイミングＴ０１も限界値δ０１だけ進めてＴ０１″＝Ｔ０１−δ０１に設定すると共に、放送継続時間Ｌｔ５をＬｔ５′に短縮し、案内放送Ａ５と案内放送Ａ６の重複を避けるように調整する。
調整後の放送タイミングＴ０１″と放送継続時間Ｌｔ５′で案内放送Ａ５を、また、放送タイミングＴ０２″と放送継続時間Ｌｔ６′で案内放送Ａ６を、それぞれ送出する。
【００４９】
エレベータの運転過程が減速時放送時間帯Ｐｒになると、目的階１４ｏが２階であるから、エレベータ制御装置１からの目的階信号に基づき、放送データＤ１０２とＤ２０２が放送データメモリ１８から読み取られる。
減速時放送時間帯Ｐｒについても加速時放送時間帯Ｐａと同様であって、案内放送Ａ２０２が減速時放送時間帯Ｐｒ内で終了するように、案内放送Ａ２０２の放送タイミングＴ１２を限界値δ１２だけ進めてＴ１２″＝Ｔ１２−δ１２に設定すると共に、放送継続時間Ｌｔ２００をＬｔ２００′に短縮して減速時放送時間帯Ｐｒ内で終了させる。
【００５０】
更に、放送タイミングＴ１２の前進により、放送タイミングＴ１１も限界値δ１１だけ進めてＴ１１″＝Ｔ１１−δ１１に設定すると共に、放送継続時間Ｌｔ１００をＬｔ１００′に短縮し、案内放送Ａ１０２と案内放送Ａ２０２の重複を避けるように調整する。
調整後の放送タイミングＴ１１″と放送継続時間Ｌｔ１００′で案内放送Ａ１０２を、また、放送タイミングＴ０２″と放送継続時間Ｌｔ２００′で案内放送Ａ２０２を、それぞれ送出する。
【００５１】
戸開時放送時間帯Ｐｏと戸閉時放送時間帯Ｐｃは、上記図７の場合と同様であり、説明を省略する。
【００５２】
次に、図９に基づいてエレベータの案内放送装置の動作を説明する。
手順Ｓ１１でかご１２の起動が検出されると、手順Ｓ１２でエレベータ制御装置１から目的階信号を受けて昇降距離Ｆｎを算出する。手順Ｓ１３で上記昇降距離Ｆｎに対応させて速度パターンＳＰが設定され、この速度パターンＳＰに基づいて加速時放送時間帯Ｐａの始期Ｐａｓと終期Ｐａｅ、減速時放送時間帯Ｐｒの始期Ｐｒｓと終期Ｐｒｅ、戸開時放送時間帯Ｐｏの始期Ｐｏｓと終期Ｐｏｅ、及び戸閉時放送時間帯Ｐｃの始期Ｐｃｓと終期Ｐｃｅが予測設定されて放送時間帯メモリ１７に記録される。
【００５３】
手順Ｓ１４で各放送時間帯Ｐによって分岐し、加速時放送時間帯Ｐａでは、手順Ｓ１５で放送データＤ５とＤ６が放送データメモリ１８から読み取られ、減速時放送時間帯Ｐｒでは、手順Ｓ１６で目的階１４ｏを参酌して放送データＤ１０（ｆ）とＤ２０（ｆ）が読み取られ、戸開時放送時間帯Ｐｏでは、手順Ｓ１７で放送データＤ１が読み取られ、戸閉時放送時間帯Ｐｃでは、手順Ｓ１８でかご１２の運転方向によって放送データＤ２とＤ３のいずれかとＤ４が読み取られる。更に、戸閉時放送時間帯Ｐｃの終期Ｐｃｅは、手順Ｓ１９でエレベータ制御装置１からの乗降客数検出信号によって再設定される。
【００５４】
各放送データＤ（ｎ）が読み取られると、手順Ｓ２０で、各案内放送Ａｎがそれぞれの放送時間帯Ｐの終期前に終了するか否かチェックされる。図６で述べたとおり放送時間帯Ｐが長く、終期前に終了する場合は「ＹＥＳ」となって手順Ｓ２３に移る。
終了しない場合は「ＮＯ」となって手順Ｓ２１で放送タイミングＴｍが放送タイミング調整範囲Δｔ内で調整される。図７で述べたとおり、この調整によって放送時間帯Ｐの終期前に終了する場合は、「ＹＥＳ」となって手順Ｓ２３に移る。終了させることができない場合は「ＮＯ」となり、手順Ｓ２２で、図８で述べたとおり放送継続時間Ｌｔが短縮され、案内放送Ａｎの放送速度が増速されて放送時間帯Ｐ内で終了するように調整されて手順Ｓ２３に移る。
【００５５】
手順Ｓ２３では、放送タイミングＴｍが隣接する案内放送Ａｎの放送継続時間Ｌｔ相互が重複するか否か調べる。図６で述べたとおり重複しない場合は「ＹＥＳ」となって手順Ｓ２６に移る。重複する場合は「ＮＯ」となって手順Ｓ２４で放送タイミングＴｍが放送タイミング調整範囲Δｔ内で調整される。図７で述べたとおり、この調整によって重複が解消される場合は、「ＹＥＳ」となって手順Ｓ２６に移る。重複を解消できない場合は「ＮＯ」となり、図８で述べたとおり、手順Ｓ２５で放送継続時間Ｌｔが短縮され、案内放送Ａｎの放送速度が増速されて重複しないように調整されて手順Ｓ２６に移る。手順Ｓ２６では、放送タイミングＴｍが調整された後の値に設定される。
なお、上記手順Ｓ２０から手順Ｓ２６までの処理Ｓ１００は、放送タイミング調整手段５として機能する。
【００５６】
手順Ｓ２７で、各放送タイミングＴｍによって分岐し、放送タイミングＴ０１の場合は、手順Ｓ２８で案内放送Ａ５が音声合成装置２２を介して放送された後、手順Ｓ２９で放送タイミングＴ０２になるのを待って手順Ｓ３０で案内放送Ａ６が放送され、手順Ｓ３１で加速時放送時間帯Ｐａが経過するのを待って手順Ｓ１４へ戻り、次の減速時放送時間帯Ｐｒの処理に移る。
手順Ｓ２７で、放送タイミングＴ１１の場合は、手順Ｓ３２で案内放送Ａ１０（ｆ）が放送された後、手順Ｓ３３で放送タイミングＴ１２になるのを待って手順Ｓ３４で案内放送Ａ２０（ｆ）が放送され、手順Ｓ３５で減速時放送時間帯Ｐｒが経過するのを待って手順Ｓ１４へ戻り、次の戸開時放送時間帯Ｐｏの処理に移る。
【００５７】
手順Ｓ２７で、放送タイミングＴ２１の場合は、手順Ｓ３６で案内放送Ａ１が放送された後、手順Ｓ３７で戸開時放送時間帯Ｐｏが経過するのを待って手順Ｓ１４へ戻り、次の戸閉時放送時間帯Ｐｃの処理に移る。
手順Ｓ２７で、放送タイミングＴ４１の場合は、手順Ｓ３８でかご１２の運転方向に応じて案内放送Ａ２又はＡ３が放送された後、手順Ｓ３９で放送タイミングＴ５１になるのを待って手順Ｓ４０で案内放送Ａ４が放送された後、エレベータ案内放送装置は動作を終了する。
【００５８】
即ち、手順Ｓ１４で加速時放送時間帯Ｐａとされた場合は手順Ｓ２７では放送タイミングＴ０１が対応し、同様に減速時放送時間帯Ｐｒと放送タイミングＴ１１が対応し、戸開時放送時間帯Ｐｏと放送タイミングＴ２１が対応し、戸閉時放送時間帯Ｐｃと放送タイミングＴ４１が対応する。
なお、新たにかご起動信号がエレベータ制御装置１から入力されると、手順Ｓ１１から動作が再開される。
【００５９】
上記実施の形態１によれば、かご１２の昇降距離Ｆｎに応じて速度パターンＳＰを設定し、この速度パターンＳＰに基いて各放送時間帯Ｐａ、Ｐｒ、Ｐｏ及びＰｃを予測設定したので、エレベータの運転過程に先行して案内放送Ａｎを送出することができると共に、速度パターンＳＰに基づいているので適時に送出することができる。
また、放送タイミングＴｍを調整するようにしたので、昇降距離Ｆｎの変動に伴って各放送時間帯Ｐａ及びＰｒの時間幅が変動しても、各放送時間帯Ｐａ及びＰｒ内で各案内放送Ａｎを終了させることができ、また、隣接する案内放送Ａｎとの重複も避けることができる。
【００６０】
更に、乗降客数検出信号によって戸閉時放送時間帯Ｐｃを変化させ、この変化した戸閉時放送時間帯Ｐｃに基づいて放送タイミングＴ４１及びＴ５１を調整するようにしたので、戸閉開始が促進されたとしても適時に案内放送Ａｎを送出することができる。
更にまた、放送時間帯Ｐ内で案内放送Ａｎを終了させ、また、重複を避けるのに、放送タイミングＴｍの調整を優先させ、放送継続時間Ｌｔは極力変更しないようにしたので、違和感なく案内放送Ａｎを聞き取ることができる。
【００６１】
更にまた、案内放送Ａｎを増速させて放送継続時間Ｌｔを短縮するようにしたので、仮に放送タイミングＴｍの調整のみでは意図した放送ができない場合でも、放送継続時間Ｌｔの短縮により放送時間帯Ｐ内で終了させ、また、重複させることなく案内放送Ａｎを送出することができる。
更にまた、エレベータの運転過程に応じて複数の放送時間帯Ｐに区切り、この放送時間帯Ｐの始期を起点にして放送タイミングＴｍを計数するようにしたので、運転過程に則して適時に案内放送Ａｎを送出することができる。
【００６２】
なお、上記実施の形態１では、かご１２の起動時τ０を起点として速度パターンＳＰを設定し、この速度パターンＳＰに基いて各放送時間帯Ｐを予測設定したが、減速時放送時間帯Ｐｒはエレベータ制御装置１からの現実の減速開始時を始期Ｐｒｓしてもよい。これにより、減速時放送時間帯Ｐｒをエレベータの運転過程に更に一致させることができる。
同様に、戸閉時放送時間帯Ｐｃは、現実の戸１３が開放した時点を始期Ｐｃｓとすることにより、案内放送Ａｎをエレベータの運転過程に更に一致させることができる。
【００６３】
【発明の効果】
この発明は上記のとおり構成されているので、以下の効果を奏する。
請求項１に係るエレベータの案内放送装置は、エレベータの利用客に向けて案内放送を送出するための放送時間帯をエレベータの運転過程に対応させて設定し、案内放送の開始時を指示する放送タイミングを放送タイミング調整範囲内で調整することにより、上記放送時間帯に含まれる案内放送を放送時間帯内で終了させると共に、隣接する案内放送が重複しないようにし、この調整された放送タイミングで上記案内放送を行うようにしたものである。
このため、エレベータの昇降距離の変動に伴って放送時間帯の時間幅が変動しても、放送時間帯内で案内放送を終了させることができ、また、隣接する案内放送との重複も避けることができる、という効果を奏する。
【００６４】
請求項２に係るエレベータの案内放送装置は、請求項１に記載のエレベータの案内放送装置において、放送タイミングの調整では、案内放送を重複させることなく放送時間帯内で放送できない場合は、上記案内放送の放送速度を増速させることにより放送時間帯内で案内放送を終了させるようにしたものである。
このため、放送時間帯が更に短小であっても、放送時間帯内で案内放送を終了させ、また、重複させることもない、という効果を奏する。
【００６５】
請求項３に係るエレベータの案内放送装置は、請求項１又は２に記載のエレベータの案内放送装置において、エレベータのかごの起動から停止までの運転過程で少なくとも一の放送時間帯を設定したものである。
このため、昇降動作の運転過程に則して適時に案内放送を送出することができる、という効果を奏する。
【００６６】
請求項４に係るエレベータの案内放送装置は、請求項１又は２に記載のエレベータの案内放送装置において、エレベータの戸が開き始めてから次に上記戸が閉じるまでの運転過程で少なくとも一の放送時間帯を設定したものである。
このため、戸開閉動作の運転過程に則して適時に案内放送を送出することができる、という効果を奏する。
【図面の簡単な説明】
【図１】  この発明の実施の形態１におけるエレベータの案内放送装置の全体構成を示すブロック図。
【図２】  この発明の実施の形態１におけるエレベータの案内放送装置のシステム構成を示すブロック図。
【図３】  放送時間帯メモリ１７の内容を示す図。
【図４】  放送データメモリ１８の内容を示す図。
【図５】  放送タイミングＴｍの調整方法を示す説明用図。
【図６】  昇降距離Ｆｎが長距離走行の場合のエレベータの運転過程を時系列で示した説明用図。
【図７】  昇降距離Ｆｎが中距離走行の場合のエレベータの運転過程を時系列で示した説明用図。
【図８】  昇降距離Ｆｎが短距離走行の場合のエレベータの運転過程を時系列で示した説明用図。
【図９】  この発明の実施の形態１におけるエレベータの案内放送装置の動作を示す流れ図。
【符号の説明】
１  エレベータ制御装置、  ２  放送時間帯設定手段、  ３  放送データ記憶手段、  ４  放送データ読取手段、  ５  放送タイミング調整手段、  ６  放送手段、  １２  かご、  １３  戸、  １４ｏ  目的階、  １４ｓ  始発階、  １５  ＣＰＵ、  １６  ＲＯＭ、  １７  放送時間帯メモリ、  １８  放送データメモリ、  １９  ＲＡＭ、  ２０  入力回路、  ２１  出力回路、  ２２  音声合成装置、  ２３  スピーカ。
【図１】
0004601181.tif 000002
【図２】
0004601181.tif 000003
【図３】
0004601181.tif 000004
【図４】
0004601181.tif 000005
【図５】
0004601181.tif 000006
【図６】
0004601181.tif 000007
【図７】
0004601181.tif 000008
【図８】
0004601181.tif 000009
【図９】
0004601181.tif 000010